(57)【要約】【目的】本発明は、本発明は、本立て等に取付けられる仕切り板の固定装置に関するものであり、簡単な構造で安価に製作でき、手軽な操作で仕切り板が固定でき、既存のスライド式の仕切り板にも容易に装着できる本立てにおける仕切り板の固定装置を提供する事を目的とする。【構成】本立てに左右方向にスライド自在に保持された仕切り板の一部と、本立ての固定部材間に滑り止め部材の滑り止め用間隙を形成し、滑り止め用間隙は、滑り止め部材が、仕切り板を固定する方向に移動する時、押し広げられて、滑り止め部材が本立ての固定部材と仕切り板の一部に圧接する事により、仕切り板の左右方向移動を防止したものである。【選択図】　　図２
2004057317.tif 000002
【特許請求の範囲】
【請求項１】
本立てに左右方向にスライド自在に保持された仕切り板の一部と、本立ての固定部材間に滑り止め用間隙を形成し、滑り止め用間隙は、滑り止め部材が、仕切り板を固定する方向に移動する時、押し広げられて、滑り止め部材が本立ての固定部材と仕切り板の一部に圧接する事により、仕切り板の左右方向への移動を防止した事を特徴とする本立てにおける仕切り板の固定装置。
【請求項２】
滑り止め部材は、滑り止め用間隙に嵌入する圧入部を有し、圧入部は仕切り板を固定する方向に、先細りとなした滑り止め部材側テーパー面を有することを特徴とする請求項１に記載の本立てにおける仕切り板の固定装置。
【請求項３】
仕切り板は、固定部材側の対応する個所に、滑り止め部材が仕切り板を固定する方向に、先細りとなした仕切り板側テーパー面を有することを特徴とする請求項１に記載の本立てにおける仕切り板の固定装置。
【請求項４】
滑り止め部材は、滑り止め用間隙に嵌入する圧入部を有し、圧入部は仕切り板を固定する方向に、先細りとなした滑り止め部材側テーパー面を有し、仕切り板は、滑り止め部材の滑り止め部材側テーパー面に対応する仕切り板側テーパー面を有することを特徴とする請求項１に記載の本立てにおける仕切り板の固定装置。
【請求項５】
本立ての背板に左右方向にスライド自在に保持された仕切り板と、仕切り板の一部と本立ての背板間に滑り止め部材の滑り止め用間隙を形成し、滑り止め部材は、滑り止め用間隙に嵌入する圧入部を有して上下動可能に仕切り板に取付けられ、圧入部は仕切り板を固定する方向に、先細りとなした滑り止め部材側テーパー面を有し、仕切り板は、滑り止め部材の滑り止め部材側テーパー面に対応する仕切り板テーパー面を有し、滑り止め部材が、仕切り板を固定する方向に移動する時、滑り止め用間隙が押し広げられて、滑り止め部材が本立ての背板と仕切り板の一部に圧接する事により、仕切り板の左右方向への移動を防止した事を特徴とする本立てにおける仕切り板の固定装置。
【発明の詳細な説明】
【０００１】
【発明の属する技術分野】本発明は、本立て等に取付けられる仕切り板の固定装置に関するものである。
【０００２】
【従来の技術】従来、本立てにあっては、仕切り板の間隔が広く、表紙の薄い本は倒れやすく、又、仕切り板間に本等が十分に満たされていない時は、本の出し入れによって、他の本が倒れたりする場合があり、非常に使い勝手がわるかった。
この欠点を改善する為、仕切り板をスライド可能とすることで、本等の収納物の厚みに対応して、仕切り板間の間隔を調整することができる仕切り板が提供されているが、この場合、仕切り板の最小間隔は限られているので、それ以下の厚みの本等が傾くと、その重さによって、仕切り板がスライドする欠点があった。そこで、仕切り板が所望位置までスライド可能で、かつ、所望位置で固定できる仕切り板の固定装置として、上下２段とした支持枠に、前側から仕切り板の嵌合部を嵌合し、嵌合部に設けられ、支持枠に対し左右に摺動自在とした係合子を押圧子で押圧し、支持枠内で係合子をロックする仕切り板の固定装置が提案されている。（特開平１０−４２９７３号）
しかしながら、上記提案は、構造が複雑で高価となり、操作性が悪く、既存のスライド式の仕切り板に容易に装着する事ができなかった。
【０００３】
【本発明が解決しようとする課題】
本発明は、上記問題点を解決する事を課題とし、簡単な構造で安価に製作でき、手軽な操作で仕切り板が固定でき、既存のスライド式の仕切り板にも容易に装着できる本立てにおける仕切り板の固定装置を提供する事を課題とする。
【０００４】
【課題を解決するための手段】
そこで、上記課題を解決する為、本発明の第１の手段として構成したところは、本立てに左右方向にスライド自在に保持された仕切り板の一部と、本立ての固定部材間に滑り止め部材の滑り止め用間隙を形成し、滑り止め用間隙は、滑り止め部材が、仕切り板を固定する方向に移動する時、押し広げられて、滑り止め部材が本立ての固定部材と仕切り板の一部に圧接する事により、仕切り板の左右方向への移動を防止したものである。
【０００５】
次に本発明が第２の手段として構成したところは、滑り止め部材は、滑り止め用間隙に嵌入する圧入部を有し、圧入部は仕切り板を固定する方向に、先細りとなした滑り止め部材側テーパー面を有するものである。
【０００６】
次に本発明が第３の手段として構成したところは、仕切り板は、固定部材側の対応する個所に、滑り止め部材が仕切り板を固定する方向に、先細りとなした仕切り板側テーパー面を有するものである。
【０００７】
次に本発明が第４の手段として構成したところは、滑り止め部材は、滑り止め用間隙に嵌入する圧入部を有し、圧入部は仕切り板を固定する方向に、先細りとなした滑り止め部材側テーパー面を有し、仕切り板は、滑り止め部材の滑り止め部材側テーパー面に対応する仕切り板側テーパー面を有するものである。
【０００８】
次に本発明が第５の手段として構成したところは、本立ての背板に左右方向にスライド自在に保持された仕切り板と、仕切り板の一部と本立ての背板間に滑り止め部材の滑り止め用間隙を形成し、滑り止め部材は、滑り止め用間隙に嵌入する圧入部を有して上下動可能に仕切り板に取付けられ、圧入部は仕切り板を固定する方向に、先細りとなした滑り止め部材側テーパー面を有し、仕切り板は、滑り止め部材の滑り止め部材側テーパー面に対応する仕切り板側テーパー面を有し、滑り止め部材が、仕切り板を固定する方向に移動する時、滑り止め用間隙が押し広げられて、滑り止め部材が本立ての背板と仕切り板の一部に圧接する事により、仕切り板の左右方向への移動を防止したものである
【０００９】
【実施例】
以下実施例を図面に基づいて説明する。
図１において、符号１は本立てを示し、
本立て１は、左右に所定間隔を有して立設された左右側板１１、１１と、左右側板１１、１１の後端間に、上下に所定間隔を有して配設された上下背板１３、１３と、左右側板１１、１１の下端部間に配設された棚板１４と、上下背板１３、１３と棚板１４間に渡って設けられた仕切り板２・・・より構成されている。
符号３・・・は、仕切り板２に設けられた滑り止め部材を示している。
【００１０】
上下背板１３、１３は対向する上下端面に、略半円形の凹溝とした摺動溝１３１、１３１が形成されている。
そして、上背板１３の左右方向の端部側（実施例では正面側からみて左側端部）後面には、摺動溝１３１の頂部１３０が臨み、左右方向に所定幅の切り欠部１３２が形成されている。
【００１１】
仕切り板２は、スライド板５と仕切り板本体６より構成されており、スライド板５は上下高さが前記上下背板１３、１３の摺動溝１３１、１３１間に密に嵌合し、左右にスライド可能な大きさで、上下端面が摺動溝１３１に対応する略円形に形成され、、左右幅は前記上背板１３の切り欠部１３２の左右幅に対応する大きさに形成されている。
そして、左右方向略中央上部に、仕切り板本体６を連結ネジ６１で連結するための連結孔５１が形成され、左右方向略中央下部前面に仕切り板本体６の後面に形成されたダボ６２の嵌合孔５２が形成されている。
【００１２】
スライド板５は上記の如く形成され、次ぎのようにして上下背板１３、１３間に取付けられる。
切り欠部１３２の位置で、スライド板５の下端面を下背板１３の摺動溝１３１に傾けた状態で嵌合した後、立ち上げて上端面を切り欠部１３２から上背板１３の摺動溝１３１内に位置せしめ、図４で左方向にスライドして、上下の摺動溝１３１、１３１間にスライド板５、５、５を順次嵌合する。
そして　上下背板１３、１３に取付けられたスライド板５の前面に仕切り板本体６を連結することで、スライド板５は切り欠き部１３２の個所に位置しても摺動溝１３１から外れることはない。
【００１３】
仕切り板本体６は、下端面がスライド板５の下方にやや突出し、上端面がスライド板５の所定寸法上方に突出する大きさで、スライド板５が連結される個所に後端面がやや後方に突出する連結突部６３が形成され、連結突部６３の後端面から前方に、前記スライド板５の連結孔５１に対応して連結ネジ６１が挿通する挿通孔６４が形成され、挿通孔６４の所定位置に側方より連結ナット６５が埋め込まれている。
又、連結突部６３の後端面に、前記スライド板５の嵌合孔５２に対応してダボ６２が後方に突出している。
【００１４】
そして、連結ネジ６１、ダボ６２を介して、スライド板５の前面に仕切り板本体６が取付けられた状態で、連結突部６３を除く仕切り板本体６の下側の後端面と、下背板１３の前面間に仕切り板本体６がスライド板５と共にスライド可能なよう所定の間隙６０が形成され、仕切り板本体６の上側の後端面と上背板１３の前面間に、スライド可能なよう所定の間隙６０と、間隙６０に連続する間隙６０より大きめの滑り止め部材３の滑り止め用間隙３０が形成される。
【００１５】
すなわち、仕切り板本体６の上部後端面は、上背板１３の前面と平行な平行面６６と、平行面６２の下端から下方に向かって上背板１３に近づく仕切り板側テーパー面６７と、仕切り板側テーパー面６７の下端から上背板１３の前面と平行な下平行面６８を有し、下平行面６８と上背板１３の前面間に間隙６０を形成する。
符号６９、６９は仕切り板本体６の後端部上部の左右両面に形成された滑り止め部材３の取付け用凹部を示している。
又、符号２００は、棚板１４上面との接触状態を緩和するため、仕切り板本体６の下面に貼付けられた緩衝材を示している。
【００１６】
滑り止め部材３は、仕切り板本体６を左右方向から挟み込む左右挟持用突片３１、３１と、左右挟持用突片３１、３１の後端間に連設された圧入部３２より、横断面略コ字形に合成樹脂材より一体に形成されている。
そして、左右挟持用突片３１、３１の内面には、前記仕切り板本体６の取付け用凹部６９に嵌入する嵌入突起３１１、３１１が形成され、左右挟持用突片３１、３１の外面には、滑り止め部材３の移動をスムーズに行うための操作用突条３１２、３１２が形成されている。
【００１７】
圧入部３２は、下方部に形成された間隙６０とほぼ一致する厚みの嵌入部３２１と、上方部に形成された嵌入部３２１より肉厚の押圧部３２２と、嵌入部３２１と押圧部３２２間に形成された、前面に前記仕切り板側テーパー面６７に対応する滑り止め部材側テーパー面３２３が形成された、下方に先細り状のテーパー部３２４より形成されている。
【００１８】
本発明は、上記の如く構成され、スライド板５に仕切り板本体６を連結する前に、左右挟持片３１、３１を押し広げるようにして、仕切り板本体６の上部後方から外嵌し、嵌入突起３１１、３１１を、取付け用凹部６９，６９に嵌合して滑り止め部材３を仕切り板本体６に取付けておく。
そして、スライド板５と仕切り板本体６を連結すると、仕切り板本体６と上背板１３の前面間に滑り止め用間隙３０、および、これに連なるスライド可能とするための所定の間隙６０が形成される。（図３に示す状態）
【００１９】
次に、本等の厚みに応じて、仕切り板２を所望の位置までスライドさせた後、滑り止め部材３を押し下げると、仕切り板側テーパー面６７に沿って、滑り止め部材側テーパー面３２３が下降することによって、テーパー部３２４、押圧部３２２によって滑り止め用間隙３０は押し広げられ、同時に、滑り止め用間隙３０が押し広げられたことにより、スライド板５の下端面を中心として前側にやや傾き、上端週部が上側の摺動溝１３１の前面に圧接し（図６に示す状態）、仕切り板本体６の前端下面（緩衝材２００）も棚板１４の上面に圧接して、滑り止め用間隙３０をそれ以上押し広げるのを困難にする。
そして、圧接部３２は上背板１３の前面と仕切り板本体６の後端面に圧接し、スライド板は摺動溝１３１の前面に圧接し、両者の摩擦力でその状態が維持され（図５に示す状態）、仕切り板２は固定された状態となる。
一方、固定された仕切り板２をスライド自在とするためには、前記とは逆に、図５の状態から滑り止め部材３を上方に引き上げればよい。
【００２０】
尚　実施例では、仕切り板２を背板１３、１３にスライド自在に支持する構成としているので、背板１３と仕切り板本体６間に滑り止め用間隙３０を構成するようにしているが、仕切り板２を棚板１４にスライド自在に支持するようにすれば、棚板１４と仕切り板２との間に滑り止め用間隙を形成する事となり、その場合仕切り板の形状に応じて、滑り止め用間隙は、仕切り板に前側下端、あるいは、棚板と仕切り板のスライド部分に設ける事となる。
すなわち、本発明は、仕切り板を本立てに左右方向にスライド自在に保持し、仕切り板の一部（例えば、仕切り板本体、スライド板等、仕切り板の一部を構成する部分）と、本立ての固定部材（例えば、背板、棚板等、本立ての動かない部分）間に滑り止め用間隙を形成し、滑り止め用間隙は、滑り止め部材が、仕切り板を固定する方向に移動する時、押し広げられて、滑り止め部材が本立ての固定部材と仕切り板の一部に圧接して仕切り板の左右方向への移動を防止した事を特徴とするものであり、本発明の要旨を逸脱しない範囲で適宜変更可能である。
【００２１】
【発明の効果】
本発明は、上記の如く構成されているので、請求項１に記載の発明によれば、
簡単な構造で安価に製作でき、操作が容易である。
請求項２、請求項３、請求項４に記載の発明によれば、請求項１の効果に加え、滑り止め部材側テーパー面、仕切り板側テーパー面を設けているので、特別な力を必要としないので、子供であっても、軽く操作することができる。
請求項５に記載の発明によれば、本立ての背板に左右方向にスライド自在に保持された仕切り板と、仕切り板の一部と本立ての背板間に滑り止め部材の滑り止め用間隙を形成し、滑り止め部材は、滑り止め用間隙に嵌入する圧入部を有して上下動可能に仕切り板に取付けられるので、従来のスライド式の仕切り板であっても、滑り止め部材を圧入する操作で仕切り板を固定することが出来、使い勝手が非常によい。
【図面の簡単な説明】
【図１】本発明を具備した本立ての斜視図
【図２】滑り止め部材の斜視図
【図３】仕切り板がスライド可能状態での上部縦断面図
【図４】仕切り板がスライド可能状態での下部縦断面図
【図５】仕切り板が固定状態での上部縦断面図
【図６】仕切り板が固定状態での下部縦断面図
【図７】本立ての後側の一部斜視図
【符号の説明】
１　　　　　本立て
１３　　　　背板
２　　　　　仕切り板
３　　　　　滑り止め部材
３０　　　　滑り止め用間隙
３２　　　　圧入部
３２３　　　滑り止め部材側テーパー面
６　　　　　仕切り板本体
６７　　　　仕切り板側テーパー面
【図１】
2004057317.tif 000003
【図２】
2004057317.tif 000004
【図３】
2004057317.tif 000005
【図４】
2004057317.tif 000006
【図５】
2004057317.tif 000007
【図６】
2004057317.tif 000008
【図７】
2004057317.tif 000009